(57)【要約】【課題】正確な時刻を設定することができるファクシミリ装置およびファクシミリ装置の時刻調整方法を提供することを目的としている。【解決手段】時計回路の時刻を、標準電波受信部が受信した時刻に時計あわせするようにしているので、時計回路の時刻は、常に標準時刻に制御されることになり、正確な時刻が設定されるという効果を得る。【選択図】          図２
2004191287.tif 000002
【特許請求の範囲】
【請求項１】
時計回路を有し、この時計回路から出力される時刻情報を用いて、種々の装置制御を行うファクシミリ装置において、
標準電波を受信して、時刻情報を取得する標準電波受信手段を備え、
上記標準電波受信手段により取得した受信時刻情報と、上記時計回路から取得した時刻情報を比較して、それらが不一致である場合には、上記時計回路の時刻を、受信時刻情報に対応した時刻に設定することを特徴とするファクシミリ装置。
【請求項２】
時計回路を有し、この時計回路から出力される時刻情報を用いて、種々の装置制御を行うファクシミリ装置において、
標準電波を受信して、時刻情報を取得する標準電波受信手段を備え、
ファクシミリ通信時、上記上記標準電波受信手段により取得した時刻情報を、伝送前手順信号を用いて、相手端末へ通知することを特徴とするファクシミリ装置。
【請求項３】
時計回路を有し、この時計回路から出力される時刻情報を用いて、種々の装置制御を行うファクシミリ装置において、
ファクシミリ通信時、相手端末より時刻情報を受信すると、上記時計回路から取得した時刻情報と、受信時刻情報を比較して、それらが不一致である場合には、上記時計回路の時刻を、受信時刻情報に対応した時刻に設定することを特徴とするファクシミリ装置。
【請求項４】
時計回路を有し、この時計回路から出力される時刻情報を用いて、種々の装置制御を行うファクシミリ装置において、
時刻情報を取得する相手端末の識別情報を登録した時刻情報取得端末識別情報テーブルを備え、
ファクシミリ通信時、相手端末より時刻情報を受信すると、その相手端末の識別情報が、上記時刻情報取得端末識別情報テーブルに登録されている場合には、上記時計回路から取得した時刻情報と、受信時刻情報を比較して、それらが不一致である場合には、上記時計回路の時刻を、受信時刻情報に対応した時刻に設定することを特徴とするファクシミリ装置。
【請求項５】
時計回路を有し、この時計回路から出力される時刻情報を用いて、種々の装置制御を行うファクシミリ装置において、
自端末の設置場所における時刻帯を表すエリアコードを記憶するエリアコード記憶手段を備え、
ファクシミリ通信時、相手端末より時刻情報を受信すると、相手端末より通利された時刻情報のエリアコードが、上記エリアコード記憶手段に記憶されているものと一致したときには、上記時計回路から取得した時刻情報と、受信時刻情報を比較して、それらが不一致である場合には、上記時計回路の時刻を、受信時刻情報に対応した時刻に設定することを特徴とするファクシミリ装置。
【請求項６】
時計回路を有し、この時計回路から出力される時刻情報を用いて、種々の装置制御を行うファクシミリ装置の時刻調整方法において、
標準電波を受信して、時刻情報を取得する標準電波受信手段を備えた基準時刻ファクシミリ装置を有し、
上記基準時刻ファクシミリ装置は、ファクシミリ通信時、上記上記標準電波受信手段により取得した時刻情報を、伝送前手順信号を用いて、相手端末へ通知し、
上記基準時刻ファクシミリ装置とファクシミリ通信する他のファクシミリ装置は、相手端末より時刻情報を受信すると、上記時計回路から取得した時刻情報と、受信時刻情報を比較して、それらが不一致である場合には、上記時計回路の時刻を、受信時刻情報に対応した時刻に設定することを特徴とするファクシミリ装置の時刻調整方法。
【請求項７】
時計回路を有し、この時計回路から出力される時刻情報を用いて、種々の装置制御を行うファクシミリ装置の時刻調整方法において、
標準電波を受信して、時刻情報を取得する標準電波受信手段を備えた基準時刻ファクシミリ装置を有し、
上記基準時刻ファクシミリ装置は、ファクシミリ通信時、上記上記標準電波受信手段により取得した時刻情報を、伝送前手順信号を用いて、相手端末へ通知し、
上記基準時刻ファクシミリ装置とファクシミリ通信する他のファクシミリ装置は、時刻情報を取得する相手端末の識別情報を登録した時刻情報取得端末識別情報テーブルを備え、相手端末より時刻情報を受信すると、その相手端末の識別情報が、上記時刻情報取得端末識別情報テーブルに登録されている場合には、上記時計回路から取得した時刻情報と、受信時刻情報を比較して、それらが不一致である場合には、上記時計回路の時刻を、受信時刻情報に対応した時刻に設定することを特徴とするファクシミリ装置の時刻調整方法。
【請求項８】
時計回路を有し、この時計回路から出力される時刻情報を用いて、種々の装置制御を行うファクシミリ装置の時刻調整方法において、
標準電波を受信して、時刻情報を取得する標準電波受信手段を備えた基準時刻ファクシミリ装置を有し、
上記基準時刻ファクシミリ装置は、ファクシミリ通信時、上記上記標準電波受信手段により取得した時刻情報を、伝送前手順信号を用いて、相手端末へ通知し、
上記基準時刻ファクシミリ装置とファクシミリ通信する他のファクシミリ装置は、自端末の設置場所における時刻帯を表すエリアコードを記憶するエリアコード記憶手段を備え、相手端末より時刻情報を受信すると、相手端末より通利された時刻情報のエリアコードが、上記エリアコード記憶手段に記憶されているものと一致したときには、上記時計回路から取得した時刻情報と、受信時刻情報を比較して、それらが不一致である場合には、上記時計回路の時刻を、受信時刻情報に対応した時刻に設定することを特徴とするファクシミリ装置の時刻調整方法。
【請求項９】
時計回路を有し、この時計回路から出力される時刻情報を用いて、種々の装置制御を行うファクシミリ装置の時刻調整方法において、
標準電波を受信して、時刻情報を取得する標準電波受信手段を備えた基準時刻ファクシミリ装置を有し、
上記基準時刻ファクシミリ装置は、ファクシミリ通信時、上記上記標準電波受信手段により取得した時刻情報を、伝送前手順信号を用いて、相手端末へ通知し、
上記基準時刻ファクシミリ装置とファクシミリ通信する他のファクシミリ装置は、自端末の設置場所における国を表す国コードを記憶する国コード記憶手段を備え、相手端末より時刻情報を受信すると、相手端末より通利された識別情報の国コードが、上記国コード記憶手段に記憶されているものと一致したときには、上記時計回路から取得した時刻情報と、受信時刻情報を比較して、それらが不一致である場合には、上記時計回路の時刻を、受信時刻情報に対応した時刻に設定することを特徴とするファクシミリ装置の時刻調整方法。
【請求項１０】
時計回路を有し、この時計回路から出力される時刻情報を用いて、種々の装置制御を行うファクシミリ装置の時刻調整方法において、
標準電波を受信して、時刻情報を取得する標準電波受信手段を備えた基準時刻ファクシミリ装置を有し、
上記基準時刻ファクシミリ装置は、ファクシミリ通信時、上記上記標準電波受信手段により取得した時刻情報を、伝送前手順信号を用いて、相手端末へ通知し、
上記基準時刻ファクシミリ装置とファクシミリ通信する他のファクシミリ装置は、自端末の設置場所における地域を表す地域コードを記憶する地域コード記憶手段を備え、相手端末より時刻情報を受信すると、相手端末より通利された識別情報の地域コードが、上記地域コード記憶手段に記憶されているものと一致したときには、上記時計回路から取得した時刻情報と、受信時刻情報を比較して、それらが不一致である場合には、上記時計回路の時刻を、受信時刻情報に対応した時刻に設定することを特徴とするファクシミリ装置の時刻調整方法。
【発明の詳細な説明】
【０００１】
【発明の属する技術分野】
本発明は、時計回路を有し、この時計回路から出力される時刻情報を用いて、種々の装置制御を行うファクシミリ装置、および、時計回路を有し、この時計回路から出力される時刻情報を用いて、種々の装置制御を行うファクシミリ装置の時刻調整方法に関する。
【０００２】
【従来の技術】
従来、例えば、交信相手のファクシミリ装置の時間情報と自機の時間情報との時間差を記憶・蓄積し、所定数になったらその平均値を算出し、その値を自機の時間情報に＋／―する事で、自動で自機の時間情報の調整を行うようにしたファクシミリ装置が提案されている（特許文献１参照）。
【０００３】
【特許文献１】
特開平８−２８９０４７号
【０００４】
【発明が解決しようとする課題】
しかしながら、このような従来装置では、あくまでも修正するのはいくつかの交信相手の平均値であって、また、その相手機の設定時間も管理されていないため、信頼性に欠ける面がある。
【０００５】
本発明は、かかる実情に鑑みてなされたものであり、正確な時刻を設定することができるファクシミリ装置およびファクシミリ装置の時刻調整方法を提供することを目的としている。
【０００６】
【課題を解決するための手段】
本発明は、時計回路を有し、この時計回路から出力される時刻情報を用いて、種々の装置制御を行うファクシミリ装置において、標準電波を受信して、時刻情報を取得する標準電波受信手段を備え、上記標準電波受信手段により取得した受信時刻情報と、上記時計回路から取得した時刻情報を比較して、それらが不一致である場合には、上記時計回路の時刻を、受信時刻情報に対応した時刻に設定するようにしたものである。
【０００７】
また、時計回路を有し、この時計回路から出力される時刻情報を用いて、種々の装置制御を行うファクシミリ装置において、標準電波を受信して、時刻情報を取得する標準電波受信手段を備え、ファクシミリ通信時、上記上記標準電波受信手段により取得した時刻情報を、伝送前手順信号を用いて、相手端末へ通知するようにしたものである。
【０００８】
また、時計回路を有し、この時計回路から出力される時刻情報を用いて、種々の装置制御を行うファクシミリ装置において、ファクシミリ通信時、相手端末より時刻情報を受信すると、上記時計回路から取得した時刻情報と、受信時刻情報を比較して、それらが不一致である場合には、上記時計回路の時刻を、受信時刻情報に対応した時刻に設定するようにしたものである。
【０００９】
また、時計回路を有し、この時計回路から出力される時刻情報を用いて、種々の装置制御を行うファクシミリ装置において、時刻情報を取得する相手端末の識別情報を登録した時刻情報取得端末識別情報テーブルを備え、ファクシミリ通信時、相手端末より時刻情報を受信すると、その相手端末の識別情報が、上記時刻情報取得端末識別情報テーブルに登録されている場合には、上記時計回路から取得した時刻情報と、受信時刻情報を比較して、それらが不一致である場合には、上記時計回路の時刻を、受信時刻情報に対応した時刻に設定するようにしたものである。
【００１０】
また、時計回路を有し、この時計回路から出力される時刻情報を用いて、種々の装置制御を行うファクシミリ装置において、自端末の設置場所における時刻帯を表すエリアコードを記憶するエリアコード記憶手段を備え、ファクシミリ通信時、相手端末より時刻情報を受信すると、相手端末より通利された時刻情報のエリアコードが、上記エリアコード記憶手段に記憶されているものと一致したときには、上記時計回路から取得した時刻情報と、受信時刻情報を比較して、それらが不一致である場合には、上記時計回路の時刻を、受信時刻情報に対応した時刻に設定するようにしたものである。
【００１１】
また、時計回路を有し、この時計回路から出力される時刻情報を用いて、種々の装置制御を行うファクシミリ装置の時刻調整方法において、標準電波を受信して、時刻情報を取得する標準電波受信手段を備えた基準時刻ファクシミリ装置を有し、上記基準時刻ファクシミリ装置は、ファクシミリ通信時、上記上記標準電波受信手段により取得した時刻情報を、伝送前手順信号を用いて、相手端末へ通知し、上記基準時刻ファクシミリ装置とファクシミリ通信する他のファクシミリ装置は、相手端末より時刻情報を受信すると、上記時計回路から取得した時刻情報と、受信時刻情報を比較して、それらが不一致である場合には、上記時計回路の時刻を、受信時刻情報に対応した時刻に設定するようにしたものである。
【００１２】
また、時計回路を有し、この時計回路から出力される時刻情報を用いて、種々の装置制御を行うファクシミリ装置の時刻調整方法において、標準電波を受信して、時刻情報を取得する標準電波受信手段を備えた基準時刻ファクシミリ装置を有し、上記基準時刻ファクシミリ装置は、ファクシミリ通信時、上記上記標準電波受信手段により取得した時刻情報を、伝送前手順信号を用いて、相手端末へ通知し、上記基準時刻ファクシミリ装置とファクシミリ通信する他のファクシミリ装置は、時刻情報を取得する相手端末の識別情報を登録した時刻情報取得端末識別情報テーブルを備え、相手端末より時刻情報を受信すると、その相手端末の識別情報が、上記時刻情報取得端末識別情報テーブルに登録されている場合には、上記時計回路から取得した時刻情報と、受信時刻情報を比較して、それらが不一致である場合には、上記時計回路の時刻を、受信時刻情報に対応した時刻に設定するようにしたものである。
【００１３】
また、時計回路を有し、この時計回路から出力される時刻情報を用いて、種々の装置制御を行うファクシミリ装置の時刻調整方法において、標準電波を受信して、時刻情報を取得する標準電波受信手段を備えた基準時刻ファクシミリ装置を有し、上記基準時刻ファクシミリ装置は、ファクシミリ通信時、上記上記標準電波受信手段により取得した時刻情報を、伝送前手順信号を用いて、相手端末へ通知し、上記基準時刻ファクシミリ装置とファクシミリ通信する他のファクシミリ装置は、自端末の設置場所における時刻帯を表すエリアコードを記憶するエリアコード記憶手段を備え、相手端末より時刻情報を受信すると、相手端末より通利された時刻情報のエリアコードが、上記エリアコード記憶手段に記憶されているものと一致したときには、上記時計回路から取得した時刻情報と、受信時刻情報を比較して、それらが不一致である場合には、上記時計回路の時刻を、受信時刻情報に対応した時刻に設定するようにしたものである。
【００１４】
また、時計回路を有し、この時計回路から出力される時刻情報を用いて、種々の装置制御を行うファクシミリ装置の時刻調整方法において、標準電波を受信して、時刻情報を取得する標準電波受信手段を備えた基準時刻ファクシミリ装置を有し、上記基準時刻ファクシミリ装置は、ファクシミリ通信時、上記上記標準電波受信手段により取得した時刻情報を、伝送前手順信号を用いて、相手端末へ通知し、上記基準時刻ファクシミリ装置とファクシミリ通信する他のファクシミリ装置は、自端末の設置場所における国を表す国コードを記憶する国コード記憶手段を備え、相手端末より時刻情報を受信すると、相手端末より通利された識別情報の国コードが、上記国コード記憶手段に記憶されているものと一致したときには、上記時計回路から取得した時刻情報と、受信時刻情報を比較して、それらが不一致である場合には、上記時計回路の時刻を、受信時刻情報に対応した時刻に設定するようにしたものである。
【００１５】
また、時計回路を有し、この時計回路から出力される時刻情報を用いて、種々の装置制御を行うファクシミリ装置の時刻調整方法において、標準電波を受信して、時刻情報を取得する標準電波受信手段を備えた基準時刻ファクシミリ装置を有し、上記基準時刻ファクシミリ装置は、ファクシミリ通信時、上記上記標準電波受信手段により取得した時刻情報を、伝送前手順信号を用いて、相手端末へ通知し、上記基準時刻ファクシミリ装置とファクシミリ通信する他のファクシミリ装置は、自端末の設置場所における地域を表す地域コードを記憶する地域コード記憶手段を備え、相手端末より時刻情報を受信すると、相手端末より通利された識別情報の地域コードが、上記地域コード記憶手段に記憶されているものと一致したときには、上記時計回路から取得した時刻情報と、受信時刻情報を比較して、それらが不一致である場合には、上記時計回路の時刻を、受信時刻情報に対応した時刻に設定するようにしたものである。
【００１６】
【発明の実施の形態】
以下、添付図面を参照しながら、本発明の実施の形態を詳細に説明する。
【００１７】
図１は、本発明の一実施例にかかるグループ３ファクシミリ装置を示している。このグループ３ファクシミリ装置は、基準時刻ファクシミリ装置（後述）として用いられる。
【００１８】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１９】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００２０】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２１】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２２】
網制御装置１１は、このグループ３ファクシミリ装置をアナログ公衆網ＰＳＴＮに接続するためのものであり、自動発着信機能を備えている。
【００２３】
標準電波受信部１２は、日本標準時（ＪＳＴ）を送信する標準電波局ＪＪＹの標準電波を受信し、その受信した時刻情報を取得するためのものである。
【００２４】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、制御装置１１、および標準電波受信部１２は、内部バス１３に接続されており、これらの各要素間でのデータのやりとりは、主としてこの内部バス１３を介して行われている。
【００２５】
また、網制御装置１１とグループ３ファクシミリモデム１０との間のデータのやりとりは、直接行なわれている。
【００２６】
なお、基準時刻ファクシミリ装置以外のグループ３ファクシミリ装置は、図１の構成から、標準電波受信部１２を除いた構成を備える。
【００２７】
さて、この基準時刻ファクシミリ装置は、それ以外のファクシミリ装置に対して、時刻情報を提供する機能を備えている。また、時刻情報の提供は、例えば、グループ３ファクシミリ伝送前手順における伝送前手順信号の情報フィールドを用いて行われ、その信号形式の一例（時刻表示情報）を図２に示す。
【００２８】
この場合、時刻表示方法は、時刻を提供するための情報である旨を表す「時刻表示」識別情報、基準時刻ファクシミリ装置である旨をあらわす「Ａフラグ（基準時刻ファクシミリ装置の場合は「１」がセットされ、それ以外の場合には「０」がセットされる）」、通知する時刻を表す「時刻情報」、および、通知する時刻の時刻帯を通知するための「エリアコード」からなる。
【００２９】
図３は、この基準時刻ファクシミリ装置が、自端末の時計回路４の時刻を調整するための動作の一例を示している。
【００３０】
まず、標準電波受信部１２が、標準電波を受信しているかどうかを調べ（判断１０１）、判断１０１の結果がＹＥＳになるときには、標準電波受信部１２が受信した標準時刻情報を取得する（処理１０２）。
【００３１】
次に、時計回路４の時刻情報を取得し（処理１０３）、標準時刻情報と、処理１０３で取得した時刻情報が一致しているかどうかを調べる（判断１０４）。判断１０４の結果がＮＯになるときには、時計回路４の時刻を、その時点での標準時刻情報の時刻に修正する（処理１０５）。また、判断１０４の結果がＹＥＳになるときには、処理１０５は行わない。
【００３２】
次いで、所定の時間を待機して（処理１０６）、判断１０１へ戻る。
【００３３】
このようにすることで、時計回路４の時刻は、常に標準時刻に制御されることになり、正確な時刻が設定される。
【００３４】
図４は、この基準時刻ファクシミリ装置が、他のファクシミリ装置と通信する際に、図２に示した時刻表示情報を提供するときの動作の一例を示している。
【００３５】
相手端末との間で通信する場合、標準電波受信部１２が受信した標準時刻情報を取得して、図２に示したような時刻表示情報を作成し（処理２０１）、伝送前手順の適宜な伝送前手順信号の情報フィールドに、その時刻情報の値をセットする（処理２０２）。
【００３６】
ここで、時刻情報をセットする伝送前手順信号としては、送信時には、信号ＮＳＳ等を用いることができ、受信時には、信号ＮＳＦ等を用いることができる。
【００３７】
図５は、基準時刻ファクシミリ装置以外のグループ３ファクシミリ装置が、時刻調整を行う場合の処理の一例を示している。
【００３８】
まず、所定の伝送前手順を行い（処理３０１）、いずれかの伝送前手順信号を用いて、時刻表示情報が受信されたかどうかを調べ（判断３０２）、判断３０２の結果がＮＯになるときには、その時点で、この処理を終了する。
【００３９】
また、判断３０２の結果がＹＥＳになるときには、時刻表示情報の「Ａフラグ」が１にセットされているかどうかを調べ（判断３０３）、判断３０３の結果がＮＯになるときには、相手端末が基準時刻ファクシミリ装置ではないので、その時点で、この処理を終了する。
【００４０】
また、判断３０３の結果がＹＥＳになるときには、受信した時刻表示情報に含まれる時刻情報を取得し（処理３０４）、次に、時計回路４の時刻情報を取得し（処理３０５）、処理３０４で取得した時刻情報と、処理３０５で取得した時刻情報が一致しているかどうかを調べる（判断３０６）。
【００４１】
判断３０６の結果がＮＯになるときには、時計回路４の時刻を、その時点での標準時刻情報の時刻に修正する（処理３０７）。また、判断３０６の結果がＹＥＳになるときには、処理３０７は行わない。
【００４２】
このようにして、基準時刻ファクシミリ装置以外のグループ３ファクシミリ装置は、基準時刻ファクシミリ装置と通信するたびに、時刻表示情報を受信し、自端末の時計回路４の時刻を調整することができるので、時計回路４の時刻は、ほぼ基準時刻に一致することとなる。
【００４３】
図６は、基準時刻ファクシミリ装置以外のグループ３ファクシミリ装置が、時刻調整を行う場合の処理の一例を示している。
【００４４】
まず、所定の伝送前手順を行い（処理４０１）、いずれかの伝送前手順信号を用いて、時刻表示情報が受信されたかどうかを調べ（判断４０２）、判断４０２の結果がＮＯになるときには、その時点で、この処理を終了する。
【００４５】
また、判断４０２の結果がＹＥＳになるときには、自端末に設定されているエリアコードを取得し（処理４０３）、受信した時刻表示情報に含まれるエリアコードと、処理４０３で取得したエリアコードが一致するかどうかを調べ（判断４０４）、判断４０４の結果がＮＯになるときには、受信した時刻情報の内容が他の標準時刻帯のものであるので、その時点で、この処理を終了する。
【００４６】
また、判断４０４の結果がＹＥＳになるときには、時刻表示情報の「Ａフラグ」が１にセットされているかどうかを調べ（判断４０５）、判断４０５の結果がＮＯになるときには、相手端末が基準時刻ファクシミリ装置ではないので、その時点で、この処理を終了する。
【００４７】
また、判断４０５の結果がＹＥＳになるときには、受信した時刻表示情報に含まれる時刻情報を取得し（処理４０６）、次に、時計回路４の時刻情報を取得し（処理４０７）、処理４０６で取得した時刻情報と、処理４０７で取得した時刻情報が一致しているかどうかを調べる（判断４０８）。
【００４８】
判断４０８の結果がＮＯになるときには、時計回路４の時刻を、その時点での標準時刻情報の時刻に修正する（処理４０９）。また、判断４０８の結果がＹＥＳになるときには、処理４０９は行わない。
【００４９】
このようにして、基準時刻ファクシミリ装置以外のグループ３ファクシミリ装置は、同じエリアコード、すなわち、同一標準時刻帯の基準時刻ファクシミリ装置と通信するたびに、時刻表示情報を受信し、自端末の時計回路４の時刻を調整することができるので、時計回路４の時刻は、ほぼ基準時刻に一致することとなる。
【００５０】
なお、この実施例では、エリアコードで基準時刻ファクシミリ装置の識別を行っているが、それ以外に、例えば、相手端末から通知される電話番号に含まれる国コードや地域コードを用いて、基準時刻ファクシミリ装置の識別を行うようにすることができる。
【００５１】
図７は、基準時刻ファクシミリ装置以外のグループ３ファクシミリ装置が、時刻調整を行う場合の処理の一例を示している。なお、この場合、基準時刻ファクシミリ装置として採用する相手端末の識別情報（電話番号）があらかじめ登録されている。
【００５２】
まず、所定の伝送前手順を行い（処理５０１）、いずれかの伝送前手順信号を用いて、時刻表示情報が受信されたかどうかを調べ（判断５０２）、判断５０２の結果がＮＯになるときには、その時点で、この処理を終了する。
【００５３】
また、判断５０２の結果がＹＥＳになるときには、相手端末から通知されている電話番号（識別情報）を取得し（処理５０３）、あらかじめ登録されている電話番号（識別情報）と、処理５０３で取得した電話番号（識別情報）が一致するかどうかを調べ（判断５０４）、判断５０４の結果がＮＯになるときには、その相手端末の時刻表示情報を採用しない場合であるので、その時点で、この処理を終了する。
【００５４】
また、判断５０４の結果がＹＥＳになるときには、時刻表示情報の「Ａフラグ」が１にセットされているかどうかを調べ（判断５０５）、判断５０５の結果がＮＯになるときには、相手端末が基準時刻ファクシミリ装置ではないので、その時点で、この処理を終了する。
【００５５】
また、判断５０５の結果がＹＥＳになるときには、受信した時刻表示情報に含まれる時刻情報を取得し（処理５０６）、次に、時計回路４の時刻情報を取得し（処理５０７）、処理５０６で取得した時刻情報と、処理５０７で取得した時刻情報が一致しているかどうかを調べる（判断５０８）。
【００５６】
判断５０８の結果がＮＯになるときには、時計回路４の時刻を、その時点での標準時刻情報の時刻に修正する（処理５０９）。また、判断５０８の結果がＹＥＳになるときには、処理５０９は行わない。
【００５７】
このようにして、基準時刻ファクシミリ装置以外のグループ３ファクシミリ装置は、あらかじめ登録されている基準時刻ファクシミリ装置と通信するたびに、時刻表示情報を受信し、自端末の時計回路４の時刻を調整することができるので、時計回路４の時刻は、ほぼ基準時刻に一致することとなる。
【００５８】
【発明の効果】
以上説明したように、本発明によれば、時計回路の時刻を、標準電波受信部が受信した時刻に時計あわせするようにしているので、時計回路の時刻は、常に標準時刻に制御されることになり、正確な時刻が設定されるという効果を得る。
【００５９】
また、基準時刻ファクシミリ装置以外のグループ３ファクシミリ装置は、基準時刻ファクシミリ装置と通信するたびに、時刻表示情報を受信し、自端末の時計回路の時刻を調整することができるので、時計回路の時刻は、ほぼ基準時刻に一致することとなるという効果も得る。
【図面の簡単な説明】
【図１】本発明の一実施例にかかるグループ３ファクシミリ装置（基準時刻ファクシミリ装置）の構成の一例を示したブロック図。
【図２】時刻表示情報の一例を示した概略図。
【図３】基準時刻ファクシミリ装置が、自端末の時計回路４の時刻を調整するための動作の一例を示したフローチャート。
【図４】基準時刻ファクシミリ装置が、他のファクシミリ装置と通信する際に、図２に示した時刻表示情報を提供するときの動作の一例を示したフローチャート。
【図５】基準時刻ファクシミリ装置以外のグループ３ファクシミリ装置が、時刻調整を行う場合の処理の一例を示したフローチャート。
【図６】基準時刻ファクシミリ装置以外のグループ３ファクシミリ装置が、時刻調整を行う場合の処理の他の例を示したフローチャート。
【図７】基準時刻ファクシミリ装置以外のグループ３ファクシミリ装置が、時刻調整を行う場合の処理のさらに他の例を示したフローチャート。
【符号の説明】
１  システム制御部
２  システムメモリ
３  パラメータメモリ
１２  標準電波受信部
【図１】
2004191287.tif 000003
【図２】
2004191287.tif 000004
【図３】
2004191287.tif 000005
【図４】
2004191287.tif 000006
【図５】
2004191287.tif 000007
【図６】
2004191287.tif 000008
【図７】
2004191287.tif 000009